(57)【要約】 【課題】  端子金具の係止力を確保し、かつハウジングの低背化を図る。【解決手段】  雌ハウジング３０のキャビティ３３内には、電線Ｗの端末に固着された雌端子金具１０が挿入され、キャビティ３３の底壁に設けられたランス３５により一次係止され、さらにリテーナ５０により二重係止される。雌端子金具１０におけるランス３５に対する一次係止部１８は、箱形をなす本体部１１の後縁により形成される。一方、リテーナ５０に対する二次係止部２０は、本体部１１の側板１１Ｃを叩き出して形成される。両係止部１８，２０とも、本体部１１の大きさに拘わらず十分な掛かり代を取ることができ、また雌端子金具１０の上下方向については、リテーナ５０の装着スペースを設ける必要がない。【選択図】  図１０
2005340012.tif 000002
【特許請求の範囲】
【請求項１】
箱形の本体部の後方に電線の端末に固着される固着部を設けた端子金具であって、コネクタハウジングに設けられたキャビティ内に挿入され、このキャビティ内に設けられた樹脂ランスにより一次係止されるとともに、前記コネクタハウジングに装着されたリテーナにより二次係止されることで前記キャビティ内に二重に抜け止めされて収容されるものにおいて、
前記本体部の後縁が前記樹脂ランスに対する一次係止部とされるとともに、前記本体部の側板に前記リテーナに対する二次係止部が叩き出しにより形成されていることを特徴とする端子金具。
【請求項２】
前記二次係止部が、対向する二側板のうち所定の一方のみに形成されていることを特徴とする請求項１記載の端子金具。
【請求項３】
コネクタハウジングに設けられたキャビティ内には、箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、
前記端子金具における前記本体部の後縁が前記樹脂ランスに対する一次係止部とされるとともに、前記本体部の側板に前記リテーナに対する二次係止部が叩き出しにより形成されていることを特徴とするコネクタ。
【発明の詳細な説明】
【技術分野】
【０００１】
本発明は、二重係止機能を備えた端子金具及びコネクタに関する。
【背景技術】
【０００２】
端子金具をコネクタハウジングのキャビティ内に二重に抜け止めして収容する、いわゆる二重係止構造の代表例としては、特許文献１に記載されたものが知られている。これは、キャビティ内に設けられた樹脂ランスに係止する一次係止部として、端子金具における箱形をなす本体部の天板または底板にランス孔が開口される一方、本体部の後端いわゆるあご部が、リテーナが係止する二次係止部とされている。
【特許文献１】特開平６−３２５８１４号公報
【発明の開示】
【発明が解決しようとする課題】
【０００３】
しかるに上記構造のものでは、例えば本体部内に相手端子との接触片が設けられた雌端子金具でそれが小型になると、接触片と干渉する等でランス孔が形成し辛く、仮にランス孔が形成されても樹脂ランスの掛かり代が十分に取れなくて係止力に劣るという問題がある。  
その対策として、樹脂ランスに係止する一次係止部を、本体部の後端のあご部で賄う一方、逆挿入防止用に本体部の天板または底板から立ち上がり形成されたスタビライザをリテーナに係止する二次係止部に使用したものも提案されたが、リテーナの装着スペースを考慮すると、どうしてもコネクタハウジングの背が高くなる嫌いがあり、さらなる改良が切望されていた。  
本発明は上記のような事情に基づいて完成されたものであって、その目的は、端子金具の係止力を確保した上で、端子金具を収容するコネクタハウジングの低背化を実現するところにある。
【課題を解決するための手段】
【０００４】
上記の目的を達成するための手段として、請求項１の発明は、箱形の本体部の後方に電線の端末に固着される固着部を設けた端子金具であって、コネクタハウジングに設けられたキャビティ内に挿入され、このキャビティ内に設けられた樹脂ランスにより一次係止されるとともに、前記コネクタハウジングに装着されたリテーナにより二次係止されることで前記キャビティ内に二重に抜け止めされて収容されるものにおいて、前記本体部の後縁が前記樹脂ランスに対する一次係止部とされるとともに、前記本体部の側板に前記リテーナに対する二次係止部が叩き出しにより形成されている構成としたところに特徴を有する。  
請求項２の発明は、請求項１に記載のものにおいて、前記二次係止部が、対向する二側板のうち所定の一方のみに形成されているところに特徴を有する。
【０００５】
請求項３の発明は、コネクタハウジングに設けられたキャビティ内には、箱形の本体部を備えて電線の端末に固着された端子金具が挿入され、前記キャビティ内に設けられた樹脂ランスにより一次係止されるとともに、前記コネクタハウジングに装着されたリテーナにより二次係止されることで前記キャビティ内に二重に抜け止めされて収容されるようにしたコネクタにおいて、前記端子金具における前記本体部の後縁が前記樹脂ランスに対する一次係止部とされるとともに、前記本体部の側板に前記リテーナに対する二次係止部が叩き出しにより形成されている構成としたところに特徴を有する。
【発明の効果】
【０００６】
＜請求項１，３の発明＞
端子金具がコネクタハウジングの対応するキャビティ内に挿入されると、キャビティ内に設けられた樹脂ランスが、端子金具の本体部の後縁である一次係止部に係止して一次係止され、続いてリテーナが本体部の側板に突設された二次係止部に係止して二重に抜け止めされる。  
樹脂ランスに対する一次係止部には本体部の後縁が利用され、リテーナに対する二次係止部は本体部の側板から突出して設けられているのであるから、両係止部とも、本体部が小型化されても受ける制約が少なくて十分な掛かり代が確保でき、すなわち高い係止力を得ることができる。また、リテーナに対する二次係止部を端子金具の本体部の側板側に設けたことで、端子金具の上下方向についてはリテーナの装着スペースが不要であるか少なくて済み、その分コネクタハウジングの低背化を図ることができる。
【０００７】
＜請求項２の発明＞
キャビティの対応する一方の側壁のみに二次係止部の挿通を許容する挿通溝を設けておくことにより、端子金具の上下逆向きでの誤挿入が規制される。すなわち、二次係止部を端子金具の逆挿入防止用のスタビライザに兼用することができる。
【発明を実施するための最良の形態】
【０００８】
以下、本発明の実施形態を添付図面に基づいて説明する。  
＜実施形態１＞
本発明の実施形態１を図１ないし図１２によって説明する。  
本実施形態では雌側のコネクタを例示しており、図１に示すように、雌側のコネクタハウジング３０（以下、雌ハウジング３０という）に形成されたキャビティ３３内に、電線Ｗの端末に固着された雌端子金具１０が挿入され、ランス３５とリテーナ５０とにより二重に抜け止めされて収容されるようになっている。
【０００９】
雌端子金具１０は、導電性に優れた金属板をプレス加工することにより、図１ないし図４に示すような形状に形成されている。なお、この雌端子金具１０は、いわゆる上下反転した姿勢でキャビティ３３内に挿入されるが、理解しやすいように、上下の向きについては使用状態の姿勢を基準として説明する。  
雌端子金具１０は大まかには、相手の雄端子金具（図示せず）が前方から挿入されて接続される本体部１１の後方に、電線Ｗの端末にかしめ圧着されるバレル１２が形成された構造である。
【００１０】
本体部１１は、前後方向に細長くかつ前後両面が開口した箱形に形成されており、天板１１Ａ側には、雄端子金具と弾性的に接触する接触片１４が配されている。この接触片１４は、接触圧を高めるために補助板１５で押さえられている一方、底板１１Ｂの対向した面に、雄端子金具を挟持すべく隆起部１６が形成されている。そして、この本体部１１における底板１１Ｂの後縁が、後記するようにキャビティ３３内に設けられたランス３５に係止する一次係止部１８とされている。
【００１１】
一方、本体部１１の左右の側板１１Ｃには、長さ方向の中央部よりも少し前方に寄った位置に、リテーナ５０に係止される二次係止部２０が設けられている。この二次係止部２０は、側板１１Ｃが外方に叩き出されることにより、前後方向を向きかつ前方が閉じて後方に開口した短寸の突条形に形成されており、この二次係止部２０の切り立った後端面がリテーナ係止面２１となっている。  
また両二次係止部２０の形成位置は、前後方向の位置は同じであるが、高さ方向については、図４に示すように、正面から見た左側の二次係止部２０がほぼ中央高さ位置にあると、右側の二次係止部２０はそれよりも少し低い位置に形成されている。
【００１２】
雌ハウジング３０は合成樹脂製であって、図１及び図５に示すように、扁平なブロック状に形成され、雄端子金具を収容した相手の雄ハウジング（図示せず）と嵌合されるようになっており、上面に設けられたロックアーム３１によって、雄ハウジングとの間が正規の嵌合状態にロックされるようになっている。  
雌ハウジング３０には、前後方向に開口したキャビティ３３が上下２段に分かれて形成されており、詳細には下段側では、６個のキャビティ３３が等ピッチで並んで配され、また上段側では、左右２個のキャビティ３３が、それぞれ下段側のキャビティ３３のうちの左端または右端のものとその内側のものとの中間に位置して設けられている。
【００１３】
各キャビティ３３の底壁には、長さ方向のほぼ中央位置において、雌端子金具１０を一次係止するためのランス３５が形成されている。ランス３５は前方を向いた片持ち状に形成されて撓み変形可能となっており、その先端側の上面に形成された突部３６が、雌端子金具１０の本体部１１の後縁である一次係止部１８に係止するようになっている。  
また、各キャビティ３３の左右の側壁には、雌端子金具１０の本体部１１の両側板１１Ｃに設けられた二次係止部２０を摺動可能に挿通する前後方向を向いた挿通溝３８が形成されている。両挿通溝３８は、二次係止部２０の形成位置と対応して、図６に示すように、正面から見た左側に比べて右側の方が少し低い位置に形成されている。なお、同図は背面から見た断面図であるため、左右は逆となっている。
【００１４】
雌ハウジング３０の下面には、上記したランス３５の形成位置の直前においてほぼ全幅にわたるようしてリテーナ装着孔４０が開口されており、このリテーナ装着孔４０内に、雌端子金具１０を二次係止するためのリテーナ５０が装着されるようになっている。  
リテーナ５０は同じく合成樹脂製であって、図５に示すように、下段側のキャビティ３３の形成領域に嵌入する横方向に長い基部５１を備えている。この基部５１の前面は、雌端子金具１０がキャビティ３３内に正規量挿入された場合に、雌端子金具１０に設けられた二次係止部２０の直後に位置する設定となっている。
【００１５】
基部５１には、雌端子金具１０を挿通可能な挿通孔５２が、キャビティ３３と同じピッチで開口されている。挿通孔５２は、キャビティ３３の前部側の断面形状と比べて、横幅がほぼ同じで、高さがキャビティ３３よりも大きく形成されている。挿通孔５２の左右の壁面には、雌端子金具１０に設けられた左右の二次係止部２０を摺動可能に逃がす前後方向を向いた逃がし溝５３が形成されている。両逃がし溝５３は、同じく二次係止部２０の形成位置と対応して、正面から見た左側に比べて右側の方が少し低い位置に形成されている。そして、各挿通孔５２の前面側の口縁における各逃がし溝５３の下方部分が、二次係止部２０のリテーナ係止面２１に係止する係止縁５４となっている。
【００１６】
また、基部５１の上面における左右両端部には、上段側の雌端子金具１０に係止する一対ずつの係止板５６が形成されている。各一対の係止板５６は、雌端子金具１０の本体部１１を左右両側から挟むようにして上段側のキャビティ３３内に下方から突入可能な間隔で形成されている。両係止板５６は、同じく二次係止部２０の形成位置と対応して、正面から見た左側に比べて右側の方が少し背が低く形成されている。両係止板５６の前縁が、二次係止部２０のリテーナ係止面２１に係止するようになっている。
【００１７】
リテーナ５０は、詳しい説明は省略するが、両端に設けた係止爪５８を、リテーナ装着孔４０の端部における前後の面に形成された被係止部４２（図６に一方のみを図示）に係止することにより、基部５１の下部側がリテーナ装着孔４０の入口から下方に突出した仮係止位置（図７）と、基部５１がリテーナ装着孔４０の入口に面一に収まった本係止位置（図１０）とでそれぞれ保持されるようになっている。
【００１８】
リテーナ５０が仮係止位置にある場合は、基部５１の逃がし溝５３が、下段側のキャビティ３３の挿通溝３８、すなわち下段側の雌端子金具１０における二次係止部２０の進入通路と整合し、また係止板５６が、上段側の雌端子金具１０における二次係止部２０の進入通路の下方に退避し、すなわち上下の雌端子金具１０がキャビティ３３内へ挿入されることを許容する状態にある。  
リテーナ５０が本係止位置に押し込まれると、基部５１における係止縁５４が下段側の雌端子金具１０における二次係止部２０の高さ位置まで、また係止板５６が、上段側の雌端子金具１０における二次係止部２０の高さ位置までそれぞれ突入し得るようになっている。
【００１９】
続いて、本実施形態の作用を説明する。  
雌ハウジング３０には、リテーナ５０が仮係止位置に保持される（図７参照）。係る状態から、電線Ｗの端末に固着された雌端子金具１０が対応するキャビティ３３内に後方から挿入される。下段側では、雌端子金具１０は、図８及び図９に示すように、左右の二次係止部２０が、キャビティ３３の左右の側壁の挿通溝３８と、リテーナ５０の逃がし溝５３とを摺動しつつ押し込まれる。一方上段側では、雌端子金具１０は、同図に示すように、左右の二次係止部２０が、キャビティ３３の挿通溝３８を摺動し、かつリテーナ５０の係止板５６の上方を通過しつつ押し込まれる。  
なお、雌端子金具１０が上下逆向きに挿入されると、各二次係止部２０の高さ位置が挿通溝３８と合わなくなるために、二次係止部２０がキャビティ３３の入口の口縁に当たってそれ以上の挿入が規制され、すなわち雌端子金具１０の逆挿入が防止される。
【００２０】
上下段とも、雌端子金具１０がキャビティ３３に挿入される途中で、本体部１１の底板１１Ｂの前縁がランス３５に乗り上げ、ランス３５を下方に撓み変形させつつ押し込まれる。雌端子金具１０が正規量挿入されると、雌端子金具１０の本体部１１がランス３５の突部３６を通過するため、図７に示すように、ランス３５が復動して、その突部３６が雌端子金具１０の本体部１１の後縁である一次係止部１８に係止し、すなわち一次係止される。
【００２１】
全雌端子金具１０の対応するキャビティ３３への挿入が完了したら、リテーナ５０が図１０に示すように、本係止位置に押し込まれて保持される。そうすると、図１１及び図１２にも示すように、下段側では、リテーナ５０の基部５１の係止縁５４が、雌端子金具１０の二次係止部２０におけるリテーナ係止面２１の後方に突入してこれに係止し、すなわち二次係止される。併せて上段側では、リテーナ５０の係止板５６が、雌端子金具１０の二次係止部２０におけるリテーナ係止面２１の後方に突入してこれに係止し、同じく二次係止される。  
したがって、キャビティ３３内に挿入された雌端子金具１０は、ランス３５によって一次係止され、そののちリテーナ５０により二次係止されることで、二重に抜け止めされる。
【００２２】
なお、雌端子金具１０がキャビティ３３内に正規量だけ挿入されていない状態、すなわち半挿入状態にあると、下段側の雌端子金具１０は、二次係止部２０がリテーナ５０の逃がし溝５３内に残っており、リテーナ５０を本係止位置まで押し込もうとした場合に、二次係止部２０に当たって押し込みが規制される。また、上段側の雌端子金具１０は、二次係止部２０が係止板５６の直上にあって、同じくリテーナ５０を本係止位置まで押し込もうとした場合に、二次係止部２０に当たって押し込みが規制される。このように、リテーナ５０の本係止位置への押し込みが規制されることで、半挿入状態の雌端子金具１０が残っていることが検知でき、その場合は、雌端子金具１０を正規位置まで挿入したのち、改めてリテーナ５０を本係止位置に押し込めばよい。
【００２３】
以上説明したように本実施形態の雌端子金具１０によれば、ランス３５に対する一次係止部１８には本体部１１の底板１１Ｂの後縁が利用され、またリテーナ５０に対する二次係止部２０は本体部１１の側板１１Ｃから突出して設けられているから、両係止部１８，２０とも、本体部１１がいかに小型化されようとも、それに制約を受けることが少なくて十分な掛かり代が確保でき、すなわち高い係止力を得ることができる。  
また、リテーナ５０に対する二次係止部２０は、本体部１１の左右の側板１１Ｃ側に設けられているから、雌端子金具１０の上下方向についてはリテーナ５０の装着スペースを設けることが不要であり、その分雌ハウジング３０の低背化を図ることができる。
【００２４】
＜実施形態２＞
図１３及び図１４は、本発明の実施形態２を示す。この実施形態２の雌端子金具１０Ａでは、リテーナ５０に対する二次係止部２０Ａが、本体部１１の左右の側板１１Ｃのうちの例えば正面から見た右側の側板１１Ｃのみに形成されている。それに伴い、図１４に示すように、雌ハウジング３０Ａのキャビティ３３の対応する側壁のみに、二次係止部２０Ａの挿通を許容する挿通溝３８Ａが形成されている。またリテーナ５０では、図示はしないが、逃がし溝５３並びに係止縁５４と、係止板５６が、片側だけに設けられていればよい。  
この実施形態２では、雌端子金具１０Ａがキャビティ３３内に正規とは上下逆向きの姿勢で挿入される、すなわち逆挿入を防止する上でより有効となる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明は、上記実施形態に例示した雌端子金具に限らず、箱形の本体部を備えている限り、雄端子金具にも同様に適用することが可能である。  
（２）端子金具を電線の端末に固着する形式は、上記実施形態に例示したバレルによる圧着に限らず、圧接刃による圧接であってもよい。  
（３）コネクタハウジング内のキャビティの配列に関し、上下方向にも互い違いではなくて整列して配された構造のものにも、同様に適用可能である。
【図面の簡単な説明】
【００２６】
【図１】本発明の実施形態１に係る一部切欠分解側面図
【図２】電線の端末に固着された雌端子金具の斜視図
【図３】同底面図
【図４】同正面図
【図５】雌ハウジングとリテーナの正面図
【図６】雌ハウジングの背面から見た横断面図
【図７】雌端子金具が一次係止された状態の縦断面図
【図８】同部分斜視図
【図９】同部分正面図
【図１０】雌端子金具が二重係止された状態の縦断面図
【図１１】同部分斜視図
【図１２】同部分正面図
【図１３】本発明の実施形態２に係る雌端子金具の正面図
【図１４】その雌ハウジングの背面から見た横断面図
【符号の説明】
【００２７】
Ｗ…電線
１０，１０Ａ…雌端子金具（端子金具）
１１…本体部
１１Ｂ…（本体部１１の）底板
１１Ｃ…（本体部１１の）側板
１２…バレル（固着部）
１８…一次係止部
２０，２０Ａ…二次係止部
３０，３０Ａ…雌ハウジング（コネクタハウジング）
３３…キャビティ
３５…ランス（樹脂ランス）
５０…リテーナ
５３…逃がし溝
５４…係止縁
５６…係止板
【図１】
2005340012.tif 000003
【図２】
2005340012.tif 000004
【図３】
2005340012.tif 000005
【図４】
2005340012.tif 000006
【図５】
2005340012.tif 000007
【図６】
2005340012.tif 000008
【図７】
2005340012.tif 000009
【図８】
2005340012.tif 000010
【図９】
2005340012.tif 000011
【図１０】
2005340012.tif 000012
【図１１】
2005340012.tif 000013
【図１２】
2005340012.tif 000014
【図１３】
2005340012.tif 000015
【図１４】
2005340012.tif 000016